(57)【要約】      （修正有）【課題】よりユーザの利便性を向上させることが出来る電子機器、及び電子機器の制御方法を提供する。【解決手段】電子機器１００は、外部機器５００とネットワーク経由でデータの送信及び受信を行う送受信手段と、当該電子機器のデバイスネームを記憶するデバイスネーム記憶手段と、操作入力に応じた操作信号を受信する操作信号受信手段と、前記操作信号に基づいてデバイスネームを前記デバイスネーム記憶手段に設定する第１のデバイスネーム設定手段と、前記外部機器５００から前記送受信手段によりデバイスネームを受信し、受信したデバイスネームを前記デバイスネーム記憶手段に設定する第２のデバイスネーム設定手段と、を具備する。【選択図】図１
2012023755.tif 000002
【特許請求の範囲】
【請求項１】
外部機器とネットワーク経由でデータの送信及び受信を行う送受信手段と、
当該電子機器のデバイスネームを記憶するデバイスネーム記憶手段と、
操作入力に応じた操作信号を受信する操作信号受信手段と、
前記操作信号に基づいてデバイスネームを前記デバイスネーム記憶手段に設定する第１のデバイスネーム設定手段と、
前記外部機器から前記送受信手段によりデバイスネームを受信し、受信したデバイスネームを前記デバイスネーム記憶手段に設定する第２のデバイスネーム設定手段と、
を具備する電子機器。
【請求項２】
当該電子機器のネットワーク内におけるデバイスネームを設定する為のファイルを記憶する第１の記憶手段と、
前記送受信手段により前記ネットワーク経由で前記外部機器からデバイスネームを設定する為の取得要求を受信した場合、対応するファイルを前記第１の記憶手段から読み出し、読み出したファイルを前記送受信手段により前記ネットワーク経由で前記外部機器に送信するように制御する制御手段と、
をさらに具備する請求項１に記載の電子機器。
【請求項３】
前記第１の記憶手段は、デバイスネームを設定する為のファイルを異なる言語毎に記憶し、
前記制御手段は、前記取得要求を受信した場合、前記取得要求により要求された言語を認識し、認識した言語に対応するファイルを前記第１の記憶手段から読み出し、前記送受信手段により前記ネットワーク経由で前記外部機器に送信するように制御する、
請求項２に記載の電子機器。
【請求項４】
前記制御手段は、前記外部機器から前記取得要求を受信した場合、前記デバイスネーム記憶手段により記憶されているデバイスネームを読み出し、前記送受信手段により前記外部機器に送信するように制御する、
請求項１に記載の電子機器。
【請求項５】
言語設定情報を記憶する第２の記憶手段をさらに具備し、
前記制御手段は、前記外部機器から要求された言語と前記言語設定情報が示す言語とが一致するか否かを判断し、一致しない場合、前記言語設定情報が示す言語に対応するファイルを前記第１の記憶手段から読み出し、前記送受信手段により前記外部機器に送信するように制御する、
請求項３に記載の電子機器。
【請求項６】
言語設定情報を記憶する第２の記憶手段と、
優先設定情報を記憶する第３の記憶手段と、
をさらに具備し、
前記制御手段は、前記外部機器から要求された言語と前記言語設定情報が示す言語とが一致するか否かを判断し、一致しない場合、前記優先設定情報に基づいて、前記外部機器から要求された言語と前記言語設定情報が示す言語とのどちらを優先するかを判断し、優先すると判断した言語に対応するファイルを前記第１の記憶手段から読み出し、前記送受信手段により前記外部機器に送信するように制御する、
請求項３に記載の電子機器。
【請求項７】
前記制御手段は、前記外部機器から要求された言語に対応するファイルが前記第１の記憶手段により記憶されていない場合、予め設定されたデフォルトの言語に対応するファイルを前記第１の記憶手段から読み出し、前記送受信手段により前記外部機器に送信するように制御する、
請求項３に記載の電子機器。
【請求項８】
放送信号を受信する受信手段と、
前記受信手段により受信した放送信号に所定の信号処理を施す信号処理手段と、
前記信号処理手段により信号処理を施した放送信号に基づいて映像を表示する表示手段と、
をさらに具備する請求項１に記載の電子機器。
【請求項９】
外部機器とネットワーク経由でデータの送信及び受信を行う送受信手段と、当該電子機器のデバイスネームを記憶するデバイスネーム記憶手段と、操作入力に応じた操作信号を受信する操作信号受信手段と、を具備する電子機器に用いられる制御方法であって、
前記操作信号に基づいてデバイスネームを前記デバイスネーム記憶手段に設定する第１のデバイスネーム設定ステップと、
前記外部機器から前記送受信手段によりデバイスネームを受信し、受信したデバイスネームを前記デバイスネーム記憶手段に設定する第２のデバイスネーム設定ステップと、
を具備し、
前記第１のデバイスネーム設定ステップと、前記第２のデバイスネーム設定ステップとのいずれかによりデバイスネームを前記デバイスネーム記憶手段に設定する、
電子機器の制御方法。
【発明の詳細な説明】
【技術分野】
【０００１】
本発明の実施形態は、電子機器、及び電子機器の制御方法に関する。
【背景技術】
【０００２】
近年、様々な情報記録媒体の記憶容量が増大している。また、情報記録媒体を備える放送受信装置、及び録画装置（情報記録再生装置）などが一般的に普及している。放送受信装置及び情報記録再生装置は、映像、または音楽などのコンテンツ（プログラム）を圧縮したデータを、記録媒体に記録する。放送受信装置及び情報記録再生装置は、例えば、Ｈａｒｄ  Ｄｉｓｋ  Ｄｒｉｖｅ（ＨＤＤ）などの磁気ディスク、Ｓｏｌｉｄ  Ｓｔａｔｅ  Ｄｒｉｖｅ（ＳＳＤ）などの半導体記憶装置、またはＤｉｇｉｔａｌ  Ｖｅｒｓａｔｉｌｅ  Ｄｉｓｋ（ＤＶＤ）などの光ディスクなどを記録媒体として用いる。
【０００３】
また、近年、通信ネットワーク技術の発達に伴い、オフィス内や家庭内でＬＡＮを構築するケースが増えている。
【０００４】
例えば、特許文献１には、接続されるパーソナルコンピュータ（ＰＣ）に対してｈｔｍｌコンテンツを配信するテレビ受像装置が記載されている。
【０００５】
また、特許文献２には、装置の表示をユーザの言語に合わせる為に、表示する項目毎に複数の言語のマスターデータを備えるコンピュータシステムが記載されている。
【先行技術文献】
【特許文献】
【０００６】
【特許文献１】特開２００６−２５４０１７号公報
【特許文献２】特開２００７−３２８４２８号公報
【発明の概要】
【発明が解決しようとする課題】
【０００７】
コンテンツを複数の機器間で共有化する為に、例えば、Ｄｉｇｉｔａｌ  Ｌｉｖｉｎｇ  Ｎｅｔｗｏｒｋ  Ａｌｌｉａｎｃｅ（ＤＬＮＡ）などのガイドラインが存在する。ＤＬＮＡに対応する機器同士をＬＡＮを介して接続する場合、機器間におけるコンテンツの共有化が実現される。
【０００８】
ＤＬＮＡのネットワークを構成する機器は、例えば、Ｄｉｇｉｔａｌ  Ｍｅｄｉａ  Ｓｅｒｖｅｒ（ＤＭＳ）、Ｄｉｇｉｔａｌ  Ｍｅｄｉａ  Ｐｌａｙｅｒ（ＤＭＰ）、Ｄｉｇｉｔａｌ  Ｍｅｄｉａ  Ｃｏｎｔｒｏｌｌｅｒ（ＤＭＣ）、及びＤｉｇｉｔａｌ  Ｍｅｄｉａ  Ｒｅｎｄｅｒｅｒ（ＤＭＲ）などが存在する。
【０００９】
ＤＭＳは、例えば、ハードディスクレコーダ、またはＰＣなどである。ＤＭＳは、ディジタルコンテンツの格納、及び配信を行う。
【００１０】
ＤＭＰは、例えば、テレビ等の表示装置、または、オーディオプレーヤーなどである。ＤＭＰは、ＤＭＳから取得するコンテンツの再生を行う。
【００１１】
ＤＭＣは、例えば、ＰＣ、または携帯端末などである。ＤＭＣは、ＤＭＳに格納されているコンテンツをＤＭＲに再生させるように制御を行う。
【００１２】
ＤＭＲは、例えば、テレビ等の表示装置、または、オーディオプレーヤーなどである。ＤＭＲは、ＤＭＣからの指示に基づいてＤＭＳからコンテンツを取得し、取得したコンテンツの再生を行う。
【００１３】
上記の各機器は、それぞれ自身の名前（デバイスネーム）を設定することができる。ＤＬＮＡ機能を実行する装置は、アクセスする装置のデバイスネームを指定することにより、所望の装置にアクセスすることができる。
【００１４】
例えば、ＤＭＣは、ＤＭＲのデバイスネームを指定してＤＭＲにアクセスする。ＤＭＣは、コンテンツを取得するＤＭＳのデバイスネーム及びコンテンツ名などをＤＭＲに指示することにより、ＤＭＣは、所望のＤＭＲにより所望のコンテンツを再生させることが出来る。
【００１５】
また、他の機器からデバイスネームを変更する機能が実用化されている。例えば、ＤＭＣからＤＭＲのデバイスネームを変更する場合、ＤＭＣは、ＤＭＲのデバイスネームを変更する為のｈｔｍｌファイルをＤＭＲから取得する。ＤＭＣは、取得したｈｔｍｌファイルを開き、ＤＭＲのデバイスネームを変更する為のページを表示する。ユーザは、ＤＭＣに表示されるページの表示内容に従ってＤＭＣを操作することにより、ＤＭＲのデバイスネームを変更することができる。
【００１６】
しかし、ＤＭＣ及びＤＭＲを使用するユーザが使用する言語と、ＤＭＣに表示される言語とが異なる場合、ＤＭＣに表示されるＤＭＲのデバイスネームを変更する為のページの内容をユーザが理解できない可能性が有るという問題がある。
【００１７】
上記の特許文献２には、ネットワーク経由で接続される複数の機器間において、ｈｔｍｌファイルを授受してページを表示させる場合の具体的な構成が示されておらず、ユーザの使用する言語に合わせた表示を行う事が出来ない可能性があるという問題がある。
【００１８】
そこで、よりユーザの利便性を向上させることが出来る電子機器、及び電子機器の制御方法を提供することを目的とする。
【課題を解決するための手段】
【００１９】
一実施形態に係る電子機器は、外部機器とネットワーク経由でデータの送信及び受信を行う送受信手段と、当該電子機器のデバイスネームを記憶するデバイスネーム記憶手段と、操作入力に応じた操作信号を受信する操作信号受信手段と、前記操作信号に基づいてデバイスネームを前記デバイスネーム記憶手段に設定する第１のデバイスネーム設定手段と、前記外部機器から前記送受信手段によりデバイスネームを受信し、受信したデバイスネームを前記デバイスネーム記憶手段に設定する第２のデバイスネーム設定手段と、を具備する。
【発明の効果】
【００２０】
この発明の一形態によれば、よりユーザの利便性を向上させることが出来る放送受信装置、及び放送受信装置の制御方法を提供することができる。
【図面の簡単な説明】
【００２１】
【図１】図１は、本発明の一実施形態に係るネットワークの構成例を説明するためのブロック図である。
【図２】図２は、図１に示す放送受信装置の構成例について説明するためのブロック図である。
【図３】図３は、図１に示す放送受信装置のデバイスネームの設定処理について説明するための説明図である。
【図４】図４は、図１に示す放送受信装置のデバイスネームの設定処理について説明するための説明図である。
【図５】図５は、図１に示す放送受信装置のデバイスネームの設定処理について説明するための説明図である。
【図６】図６は、図１に示す放送受信装置のデバイスネームの設定処理について説明するための説明図である。
【図７】図７は、図１に示す放送受信装置のデバイスネームの設定処理について説明するための説明図である。
【図８】図８は、図１に示す放送受信装置のデバイスネームの設定処理について説明するための説明図である。
【図９】図９は、図１に示す放送受信装置のデバイスネームの設定処理について説明するための説明図である。
【図１０】図１０は、図１に示す放送受信装置のデバイスネームの設定処理について説明するための説明図である。
【図１１】図１１は、図１に示す放送受信装置のデバイスネームの設定処理について説明するための説明図である。
【図１２】図１２は、図２に示す放送受信装置のＲＯＭに格納されているファイルについて説明するための説明図である。
【図１３】図１３は、図１に示す放送受信装置の制御方法の例について説明するための説明図である。
【図１４】図１４は、図１に示す放送受信装置の制御方法の他の例について説明するための説明図である。
【発明を実施するための形態】
【００２２】
以下、図を参照しながら、本発明の一実施形態に係る放送受信装置、及び放送受信装置の制御方法ついて詳細に説明する。
【００２３】
図１は、本発明の一実施形態に係るネットワークの構成例について説明する為の説明図である。  
図１に示すように、ネットワーク１は、放送受信装置１００、情報記録再生装置４００、及びパーソナルコンピュータ（ＰＣ）５００を備える。なお、放送受信装置１００、情報記録再生装置４００、及びＰＣ５００は、それぞれＤＬＮＡ機能に対応していると仮定する。
【００２４】
放送受信装置１００は、ＤＭＲとして機能する。情報記録再生装置４００は、ＤＭＳとして機能する。また、ＰＣ５００は、ＤＭＣとして機能する。
【００２５】
ＤＭＣとしてのＰＣ５００は、ユーザの操作に応じて、ＤＭＳに格納されているコンテンツのリストを取得する。また、ＰＣ５００は、ユーザの操作に応じて、放送受信装置１００のデバイスネームを変更する為のｈｔｍｌファイルを放送受信装置１００から取得する。ＰＣ５００は、取得したｈｔｍｌファイルを開き、放送受信装置１００のデバイスネームを変更する為のページを表示（ブラウジング）する。
【００２６】
ＰＣ５００は、ユーザによる操作入力に基づいて、放送受信装置１００の新しいデバイスネームを設定することができる。放送受信装置１００は、ＰＣ５００から送信されるデバイスネームを放送受信装置１００内部の不揮発性メモリに記憶する。
【００２７】
また、ＰＣ５００は、ＤＭＲとしての放送受信装置１００に対して、ＤＭＳに格納されているコンテンツの再生指示を行う。
【００２８】
ＤＭＳとしての情報記録再生装置４００は、例えば、ハードディスクレコーダ、またはＰＣなどにより構成される。情報記録再生装置４００は、ディジタルコンテンツを格納する。
【００２９】
ＤＭＲとしての放送受信装置１００は、ＰＣ５００から受け取る再生指示に基づいて情報記録再生装置４００からコンテンツを取得し、取得したコンテンツの再生を行う。
【００３０】
図２は、図１に示す放送受信装置の構成例について説明するためのブロック図である。  
放送受信装置１００は、入力端子１０１、チューナ１１１、復調部１１２、信号処理部１１３、音声処理部１２１、音声出力端子１２２、映像処理部１２３、表示処理部１２４、映像出力端子１２５、ＭＰＵ１５０、操作入力部１６１、受光部１６２、カードコネクタ１６４、ＵＳＢコネクタ１６６、及び通信インターフェース１６８を備える。ＭＰＵ１５０は、ＲＯＭ１５１、ＲＡＭ１５２、及びＥＥＰＲＯＭ１５３を備える。
【００３１】
入力端子１０１は、例えば、ディジタル放送信号などを受信し、チューナ１１１に供給する。チューナ１１１は、ディジタル放送信号用のチューナである。チューナ１１１は、入力端子１０１に入力されるディジタル放送信号のチューニングを行う。チューナ１１１は、チューニングしたディジタル放送信号を復調部１１２に送信する。復調部１１２は、受信するディジタル放送信号の復調を行う。復調部１１２は、復調したディジタル放送信号を信号処理部１１３に入力する。即ち、入力端子１０１、チューナ１１１、及び復調部１１２は、放送信号を受信する受信手段として機能する。
【００３２】
信号処理部１１３は、放送信号に対して信号処理を施す信号処理手段として機能する。信号処理部１１３は、復調部１１２から受信するディジタル放送信号に、信号処理を施す。即ち、信号処理部１１３は、ディジタル放送信号を映像信号、及び音声信号に分離する。信号処理部１１３は、音声処理部１２１に音声信号を供給する。また、信号処理部１１３は、映像処理部１２３に映像信号を供給する。
【００３３】
音声処理部１２１は、信号処理部１１３から受信した音声信号を、スピーカ２００で再生可能なフォーマットの音声信号に変換し、音声出力端子１２２から出力する。スピーカ２００は、受信した音声信号を再生する。
【００３４】
また、映像処理部１２３は、信号処理部１１３から受信した映像信号を、表示部３００で再生可能なフォーマットの映像信号に変換し、表示処理部１２４に出力する。表示処理部１２４は、ＭＰＵ１５０からの制御に応じて、ＧＵＩ（Ｇｒａｐｈｉｃａｌ  Ｕｓｅｒ  Ｉｎｔｅｒｆａｃｅ）画面などを表示するためのＯＳＤ信号を生成する。表示処理部１２４は、受信した映像信号に対してＯＳＤ信号を重ね合わせるＯＳＤ処理を行う。表示処理部１２４は、ＯＳＤ処理を施した映像信号を映像出力端子１２５から出力する。
【００３５】
表示部３００は、例えば、液晶表示装置などにより構成される表示手段である。表示部３００は、受信した映像信号を表示する。
【００３６】
なお、スピーカ２００及び表示部３００は、放送受信装置１００に一体に形成されていてもよい。スピーカ２００、表示部３００、及び放送受信装置１００が一体に形成される場合、音声出力端子１２２及び映像出力端子１２５は、省略することができる。
【００３７】
ＭＰＵ１５０は、放送受信装置１００の各部の動作を制御する制御手段として機能する。ＭＰＵ１５０は、ＣＰＵ等の演算素子、ＲＯＭ１５１、ＲＡＭ１５２、ＥＥＰＲＯＭ１５３などを備えている。ＭＰＵ１５０は、操作入力部１６１から供給される操作信号に基づいて、種々の処理を行う。
【００３８】
ＲＯＭ１５１は、放送受信装置１００のシステム制御プログラム及び各種処理プログラムなどを記憶している。また、ＲＯＭ１５１は、放送受信装置１００のデフォルトのデバイスネーム（デフォルトネーム）を記憶する。ＭＰＵ１５０は、操作入力部１６１から供給される操作信号に基づいて、ＲＯＭ１５１に記憶されているプログラムを起動し、各部の動作を制御する。
【００３９】
ＲＡＭ１５２は、ＣＰＵのワークメモリとして機能する。ＥＥＰＲＯＭ１５３は、各種の設定情報などを記憶する不揮発性メモリである。例えば、ＥＥＰＲＯＭ１５３は、放送受信装置１００のデバイスネームを記憶する。
【００４０】
操作入力部１６１は、例えば、操作キー、などにより構成される。操作入力部１６１は、ユーザによる操作入力に応じて操作信号を生成する。操作入力部１６１は、生成した操作信号をＭＰＵ１５０に供給する。
【００４１】
受光部１６２は、例えば、リモートコントローラ１６３からの操作信号を受信するセンサなどを備える。受光部１６２は、受信した操作信号をＭＰＵ１５０に供給する。
【００４２】
カードコネクタ１６４は、例えば、動画コンテンツ、静止画コンテンツ、またはオーディオコンテンツなどを記憶するメディアカード１６５と通信を行う為のインターフェースである。カードコネクタ１６４は、接続されるメディアカード１６５からコンテンツを読み出し、ＭＰＵ１５０に供給する。
【００４３】
ＵＳＢコネクタ１６６は、ＵＳＢ機器１６７と通信を行う為のインターフェースである。ＵＳＢコネクタ１６６は、接続されるＵＳＢ機器１６７から供給される信号をＭＰＵ１５０に供給する。例えば、ＵＳＢ機器１６７がキーボードなどの操作入力機器である場合、ＵＳＢコネクタ１６６は、操作信号をＵＳＢ機器１６７から受け取る。ＵＳＢコネクタ１６６は、受け取った操作信号をＭＰＵ１５０に供給する。この場合、ＭＰＵ１５０は、ＵＳＢコネクタ１６６から供給される操作信号に基づいて種々の処理を実行する。
【００４４】
通信インターフェース１６８は、外部の機器とネットワークを介してデータの送受信を行う送受信手段である。通信インターフェース１６８は、通信端子１６９に接続される機器とＭＰＵ１５０との間で送受信される情報の受け渡しを行う。通信端子１６９は、例えば、ＬＡＮ端子などにより構成される。放送受信装置１００は、通信インターフェース１６８を介して情報記録再生装置４００、及びＰＣ５００などと接続される。なお、通信インターフェース１６８は、無線ＬＡＮにより他の機器と通信を行う構成であってもよい。
【００４５】
放送受信装置１００は、通信インターフェース１６８を介して接続される機器と通信を行う場合、予めデバイスネームを設定する。この為に、放送受信装置１００は、ユーザにより放送受信装置１００に入力される操作信号に基づいてデバイスネームを設定する機能（第１のデバイスネーム設定手段）と、ＤＭＣとしてのＰＣ５００から受信する情報に基づいてデバイスネームを設定する機能（第２のデバイスネーム設定手段）とを備える。
【００４６】
まず、第１のデバイスネーム設定手段について説明する。所定の操作入力が行われる場合、放送受信装置１００のＭＰＵ１５０は、図３に示す「Ｍｅｄｉａ  Ｒｅｎｄｅｒｅｒ  Ｓｅｔｕｐ」ウィンドウ３１１を表示部３００に表示するように制御を行う。
【００４７】
ＭＰＵ１５０は、図３に示すように、「Ｍｅｄｉａ  Ｒｅｎｄｅｒｅｒ  Ｓｅｔｕｐ」ウィンドウ３１１内に、「Ｉｎｓｔａｌｌａｔｉｏｎ」、「Ｍｅｄｉａ  Ｒｅｎｄｅｒｅｒ」、「Ｄｅｖｉｃｅ  Ｎａｍｅ  Ｓｅｔｕｐ」３１２、「Ｗｅｂ  Ｐａｓｓｗｏｒｄ  Ｓｅｔｕｐ」、及び「Ｍｅｄｉａ  Ｃｏｎｔｒｏｌｌｅｒ  Ｓｅｔｕｐ」などのメニューを表示する。
【００４８】
ウィンドウ３１１内の「Ｄｅｖｉｃｅ  Ｎａｍｅ  Ｓｅｔｕｐ」３１２がユーザの操作により選択される場合、ＭＰＵ１５０は、図４に示す「Ｄｅｖｉｃｅ  Ｎａｍｅ  Ｓｅｔｕｐ」ウィンドウ３２１を表示部３００に表示するように制御を行う。
【００４９】
ＭＰＵ１５０は、図４に示すように、入力欄３２２、「Ｒｅｓｅｔ」ボタン３２３、及び「Ｄｏｎｅ」ボタン３２４などを「Ｄｅｖｉｃｅ  Ｎａｍｅ  Ｓｅｔｕｐ」ウィンドウ３２１内に表示する。この場合、ＭＰＵ１５０は、ＥＥＰＲＯＭ１５３に記憶されているデバイスネームを入力欄３２２の中に表示する。図４に示す例では、デフォルトである「Ｄｉｇｉｔａｌ  Ｍｅｄｉａ  Ｒｅｎｄｅｒｅｒ」という文字情報が入力欄３２２に入力されている。
【００５０】
また、ＭＰＵ１５０は、「Ｒｅｓｅｔ」ボタン３２３が選択される場合、入力欄３２２に入力されている文字情報を消去する。また、ＭＰＵ１５０は、「Ｄｏｎｅ」ボタン３２４が選択される場合、入力欄３２２に入力されている文字情報をデバイスネームとして登録するように制御を行う。即ち、ＭＰＵ１５０は、入力欄３２２に入力されている文字情報をデバイスネームとしてＥＥＰＲＯＭ１５３に保存する。
【００５１】
例えば、ユーザの操作入力により入力欄３２２が選択される場合、ＭＰＵ１５０は、ユーザにより入力される文字情報を入力欄３２２内に入力する。この場合、放送受信装置１００は、ＵＳＢコネクタ１６６に接続されるキーボード、または、表示部３００に表示するソフトウェアキーボードによりユーザにより入力される文字情報を取得する。
【００５２】
図５は、ユーザによる操作入力に基づいて入力欄３２２の文字情報を変更した例について示す図である。図５に示すように、入力欄３２２に「Ｌｉｖｉｎｇ  Ｒｅｎｄｅｒｅｒ＿００１」という文字情報が入力されている。この状態で「Ｄｏｎｅ」ボタン３２４が選択される場合、ＭＰＵ１５０は、入力欄３２２に入力されている「Ｌｉｖｉｎｇ  Ｒｅｎｄｅｒｅｒ＿００１」という文字情報をデバイスネームとしてＥＥＰＲＯＭ１５３に保存する。上記した処理により、放送受信装置１００は、ユーザの操作入力に応じてデバイスネームを設定することが出来る。
【００５３】
次に、第２のデバイスネーム設定手段について説明する。所定の操作入力が行われる場合、ＰＣ５００は、ＤＭＲである放送受信装置１００に対して、放送受信装置１００のデバイスネームを変更する為のｈｔｍｌファイルの取得要求を送信する。
【００５４】
放送受信装置１００は、ＰＣ５００からｈｔｍｌファイルの取得要求を受信する場合、ＲＯＭ１５１に格納されているｈｔｍｌファイルを読み出し、ＰＣ５００にネットワーク経由で送信する。さらに、放送受信装置１００は、ＥＥＰＲＯＭ１５３に記憶されている現在のデバイスネームを読み出し、ＰＣ５００にネットワーク経由で送信する。またさらに、放送受信装置１００は、ＲＯＭ１５１に記憶されているデフォルトネームを読み出し、ＰＣ５００にネットワーク経由で送信する。
【００５５】
ＰＣ５００は、取得したｈｔｍｌファイルを開き、図６に示す「Ｈｏｍｅ」ウィンドウ５１１をＰＣ５００の表示部に表示する制御を行う。
【００５６】
ＰＣ５００は、図６に示すように、デバイスネーム表示欄５１２、及び「Ｃｈａｎｇｅ」ボタン５１３などを「Ｈｏｍｅ」ウィンドウ５１１内に表示する。この場合、ＰＣ５００は、放送受信装置１００から受信するデバイスネームをデバイスネーム表示欄５１２の中に表示する。図６に示す例では、デフォルトである「Ｄｉｇｉｔａｌ  Ｍｅｄｉａ  Ｒｅｎｄｅｒｅｒ」という文字情報がデバイスネーム表示欄５１２に入力されている。
【００５７】
ＰＣ５００は、「Ｃｈａｎｇｅ」ボタン５１３が選択される場合、図７に示す「Ｄｅｖｉｃｅ  Ｎａｍｅ  Ｓｅｔｕｐ」ウィンドウ５２１を表示する。
【００５８】
ＰＣ５００は、図７に示すように、デバイスネーム表示欄５２２、入力欄５２３、「Ｄｅｆａｕｌｔ  Ｎａｍｅ」ボタン５２４、「Ｕｐ  Ｄａｔｅ」ボタン５２５、及び「Ｃａｎｃｅｌ」ボタン５２６などを「Ｄｅｖｉｃｅ  Ｎａｍｅ  Ｓｅｔｕｐ」ウィンドウ５２１内に表示する。
【００５９】
デバイスネーム表示欄５２２は、現在の放送受信装置１００のデバイスネームを表示する為の欄である。ＰＣ５００は、放送受信装置１００から受信するデバイスネームをデバイスネーム表示欄５２２の中に表示する。
【００６０】
入力欄５２３、変更する放送受信装置１００のデバイスネームを入力する為の欄である。ユーザの操作入力により入力欄５２３が選択される場合、ＰＣ５００は、ユーザにより入力される文字情報を入力欄５２３内に入力する。
【００６１】
ＰＣ５００は、「Ｄｅｆａｕｌｔ  Ｎａｍｅ」ボタン５２４が選択される場合、入力欄５２３に入力されている文字情報を消去し、放送受信装置１００から受信するデフォルトネームを入力欄５２３に入力する。
【００６２】
また、ＰＣ５００は、「Ｕｐ  Ｄａｔｅ」ボタン５２５が選択される場合、入力欄５２３に入力されている文字情報をデバイスネームとして登録するように制御を行う。即ち、ＰＣ５００は、入力欄５２３に入力されている文字情報をデバイスネームとして放送受信装置１００に送信する。放送受信装置１００のＭＰＵ１５０は、受信する文字情報をデバイスネームとしてＥＥＰＲＯＭ１５３に保存する。
【００６３】
また、ＰＣ５００は、「Ｃａｎｃｅｌ」ボタン５２６が選択される場合、デバイスネームの設定処理を中断し、図６に示す「Ｈｏｍｅ」ウィンドウ５１１をＰＣ５００の表示部に表示する制御を行う。
【００６４】
図８は、ユーザによる操作入力に基づいて入力欄５２３の文字情報を変更した例について示す図である。図８に示すように、入力欄５２３に「Ｌｉｖｉｎｇ  Ｒｅｎｄｅｒｅｒ＿００１」という文字情報が入力されている。この状態で「Ｕｐ  Ｄａｔｅ」ボタン５２５が選択される場合、ＰＣ５００は、入力欄５２３に入力されている「Ｌｉｖｉｎｇ  Ｒｅｎｄｅｒｅｒ＿００１」という文字情報を放送受信装置１００に送信する。この場合、ＰＣ５００は、図９に示すように、アップデート中である旨を示す文字列５２７を「Ｄｅｖｉｃｅ  Ｎａｍｅ  Ｓｅｔｕｐ」ウィンドウ５２１内に表示する。
【００６５】
例えば、入力欄５２３に入力されている文字情報の中に使用できない文字などが含まれている場合、ＰＣ５００は、図１０に示す「Ｉｎｐｕｔ  ｅｒｒｏｒ」ウィンドウ５３１を表示する。ＰＣ５００は、「Ｉｎｐｕｔ  ｅｒｒｏｒ」ウィンドウ５３１内に、入力操作のやり直しをユーザに促す文字列５３２を表示する。
【００６６】
また、新しく設定するデバイスネームを放送受信装置１００に正しく送信できた場合、ＰＣ５００は、図１１に示す「Ｈｏｍｅ」ウィンドウ５１１をＰＣ５００の表示部に表示する制御を行う。
【００６７】
ＰＣ５００は、図１１に示すように、新しく設定したデバイスネームをデバイスネーム表示欄５１２に表示する。上記した処理により、ＤＭＣとしてのＰＣ５００は、ユーザの操作入力に応じて放送受信装置１００のデバイスネームを設定することが出来る。
【００６８】
なお、上記した各ウィンドウは、ＰＣ５００によりｈｔｍｌファイルを展開して表示したものである。即ち、ウィンドウ内の各文字列は、ｈｔｍｌファイル内に含まれている。本実施形態に一実施形態に係る放送受信装置１００は、ＲＯＭ１５１の中にそれぞれ異なる言語に対応するｈｔｍｌファイルを複数格納する。
【００６９】
図１２は、放送受信装置１００のＲＯＭ１５１に格納されているｈｔｍｌファイルについて説明するための説明図である。  
図１２に示すように、ＲＯＭ１５１は、言語Ａに対応するｈｔｍｌファイル１５４Ａ、言語Ｂに対応するｈｔｍｌファイル１５４Ｂ、言語Ｃに対応するｈｔｍｌファイル１５４Ｃ、及び言語Ｄに対応するｈｔｍｌファイル１５４Ｄを備える。各ｈｔｍｌファイルは、それぞれ表示する文字列が各言語に対応している。即ち、ＲＯＭ１５１は、各言語に対応する複数のｈｔｍｌファイルを格納する記憶手段として機能する。なお、他の言語に対応させるために、ＲＯＭ１５１は、さらに他のｈｔｍｌファイルを格納していてもよい。
【００７０】
図１３は、放送受信装置１００の制御方法の例について説明するための説明図である。  
上記したように、ユーザは、ＰＣ５００を操作することにより、放送受信装置１００に対して放送受信装置１００のデバイスネームを変更する為のｈｔｍｌファイルの取得要求を送信する。この場合、ＰＣ５００は、例えばブラウザなどの設定に基づいて、表示言語要求を生成する。ＰＣ５００は、生成した表示言語要求とｈｔｍｌファイル取得要求とを放送受信装置１００に送信する。
【００７１】
放送受信装置１００のＭＰＵ１５０は、表示言語要求とｈｔｍｌファイル取得要求とを受信する場合、表示言語要求に基づいてユーザが所望する表示言語を認識する。ＭＰＵ１５０は、認識した言語に対応するｈｔｍｌファイルをＲＯＭ１５１から読み出す。放送受信装置１００は、読み出したｈｔｍｌファイルをＰＣ５００にネットワーク経由で送信する。
【００７２】
なお、認識した言語に対応するｈｔｍｌファイルがＲＯＭ１５１に格納されていない場合、放送受信装置１００は、予め設定されるデフォルトの言語に対応するｈｔｍｌファイルをＰＣ５００に送信する。デフォルトの言語の設定情報は、例えばＲＯＭ１５１またはＥＥＰＲＯＭ１５３などにより記憶される。例えば、デフォルトの言語が英語である場合、放送受信装置１００は、英語に対応するｈｔｍｌファイルをＰＣ５００に送信する。
【００７３】
なお、放送受信装置１００は、認識した言語に対応するｈｔｍｌファイルがＲＯＭ１５１に格納されていない場合にＰＣ５００に送信するｈｔｍｌファイルを予め設定し、設定した情報に基づいて決定する構成であってもよい。
【００７４】
これにより、ＰＣ５００を操作するユーザは、所望する言語のｈｔｍｌファイルをブラウジングすることができる。即ち、ユーザは、放送受信装置１００のデバイスネームを変更する為ページを容易に閲覧し、放送受信装置１００のデバイスネームの変更の為の操作を行う事ができる。この結果、よりユーザの利便性を向上させることが出来る放送受信装置、及び放送受信装置の制御方法を提供することができる。
【００７５】
次に、放送受信装置１００の制御方法の他の例について説明する。  
図１４は、図１に示す放送受信装置１００の制御方法の他の例について説明するための説明図である。
【００７６】
図１４に示す放送受信装置１００は、ＥＥＰＲＯＭ１５３に言語設定ファイル１５５を備えている。即ち、ＥＥＰＲＯＭ１５３は、言語設定ファイル（言語設定情報）を格納する記憶手段として機能する。言語設定ファイル１５５は、例えば、放送受信装置１００をユーザが操作することにより表示されるメニュー画面の表示言語を示す情報である。即ち、放送受信装置１００のＭＰＵ１５０は、言語設定ファイル１５５が示す言語を認識し、認識した言語により各種の文字列の表示処理を行う。
【００７７】
図１４に示す放送受信装置１００がＰＣ５００から表示言語要求とｈｔｍｌファイル取得要求とを受信する場合、表示言語要求に基づいてユーザが所望する表示言語を認識する。放送受信装置１００のＭＰＵ１５０は、ＰＣ５００から要求された表示言語と、言語設定ファイル１５５が示す言語とが一致するか否かを判断する。
【００７８】
ＰＣ５００から要求された表示言語と、言語設定ファイル１５５が示す言語とが一致する場合、ＭＰＵ１５０は、ＰＣ５００から要求された表示言語に対応するｈｔｍｌファイルをＲＯＭ１５１から読み出す。ＭＰＵ１５０は、読み出したｈｔｍｌファイルをＰＣ５００にネットワーク経由で送信する。
【００７９】
ＰＣ５００から要求された表示言語と、言語設定ファイル１５５が示す言語とが一致しない場合、ＭＰＵ１５０は、言語設定ファイル１５５が示す言語に対応するｈｔｍｌファイルをＲＯＭ１５１から読み出す。ＭＰＵ１５０は、読み出したｈｔｍｌファイルをＰＣ５００にネットワーク経由で送信する。
【００８０】
なお、さらに放送受信装置１００のＥＥＰＲＯＭ１５３は、優先設定情報を格納しても良い。この場合、ＥＥＰＲＯＭ１５３は、優先設定情報を格納する記憶手段として機能する。優先設定情報は、ネットワーク接続される機器から要求された表示言語と、言語設定ファイル１５５が示す言語とが一致しない場合にどちらの言語を優先させるかを示す情報である。
【００８１】
例えば、優先設定情報がネットワーク接続される機器から要求された表示言語を優先させる設定である場合、ＭＰＵ１５０は、ＰＣ５００から要求された表示言語に対応するｈｔｍｌファイルをＰＣ５００に送信する。また、例えば、優先設定情報が言語設定ファイル１５５が示す言語を優先させる設定である場合、ＭＰＵ１５０は、言語設定ファイル１５５が示す言語に対応するｈｔｍｌファイルをＰＣ５００に送信する。
【００８２】
これにより、放送受信装置１００は、よりユーザの要望に合った言語ｈｔｍｌファイルをユーザが操作するＰＣ５００に送信することが出来る。即ち、ユーザは、放送受信装置１００のデバイスネームを変更する為ページを容易に閲覧し、放送受信装置１００のデバイスネームの変更の為の操作を行う事ができる。この結果、よりユーザの利便性を向上させることが出来る放送受信装置、及び放送受信装置の制御方法を提供することができる。
【００８３】
なお、この発明は、上記実施形態そのままに限定されるものではなく、実施段階ではその要旨を逸脱しない範囲で構成要素を変形して具現化できる。また、上記実施形態に開示されている複数の構成要素の適宜な組み合わせにより、種々の発明を形成できる。例えば、実施形態に示される全構成要素から幾つかの構成要素を削除してもよい。更に、異なる実施形態に亘る構成要素を適宜組み合わせてもよい。
【００８４】
上記した実施形態では、ネットワーク１内に存在する機器が放送受信装置１００と情報記録再生装置４００とＰＣ５００との３つであるとして説明したが、この構成に限定されない。さらにＤＬＮＡ機能に対応した機器を追加してもよい。また、ネットワーク１にＤＭＣ、ＤＭＳ、及びＤＭＲが複数存在していても良い。
【００８５】
また、上記した実施形態では、放送受信装置１００は、放送受信装置１００のデバイスネームを変更する為のｈｔｍｌファイルを各言語毎に複数ＲＯＭ１５１に格納する構成として説明したがこの構成に限定されない。ｈｔｍｌファイルを格納する記憶部は、読み出しが可能な記憶部であれば如何なるものであってもよい。例えば、ＥＥＰＲＯＭ１５３がｈｔｍｌファイルを格納する構成であってもよい。
【００８６】
また、上記した実施形態では、ｈｔｍｌファイルとして放送受信装置１００のデバイスネームを変更する為のｈｔｍｌファイルを例に挙げて説明したが、表示する内容が文字列を含むものであれば如何なる内容であっても本発明を適用することができる。例えば、ｈｔｍｌは、放送受信装置１００のスペックを示すページ、放送受信装置１００の機能を説明する為のページ、または、ユーザに各種の情報を提供する為のページなどであってもよい。
【００８７】
また、放送受信装置１００の備える各手段は、ハードウエアで実現するものであってもよいし、ＣＰＵ（またはＭＰＵ）に代表される演算素子を用いて、ソフトウエアで実現するものであってもよい。  
以下に本件出願当初の特許請求の範囲に記載された発明を付記する。  
［Ｃ１]
外部機器とネットワーク経由でデータの送信及び受信を行う送受信手段と、
複数のｈｔｍｌファイルを格納する第１の記憶手段と、
前記送受信手段により前記ネットワーク経由で前記外部機器から受信する要求に応じた言語のｈｔｍｌファイルを前記第１の記憶手段から読み出し、この読み出したｈｔｍｌファイルを前記送受信手段により前記ネットワーク経由で前記外部機器に送信するように制御する制御手段と、
を具備することを特徴とする放送受信装置。
【００８８】
［Ｃ２]
前記記憶手段は、異なる言語の複数のｈｔｍｌファイルを記憶することを特徴とするＣ１に記載の放送受信装置。
【００８９】
［Ｃ３]
前記制御手段は、前記外部機器から受信するｈｔｍｌファイルの取得要求に応じて前記外部機器から要求されている表示言語を認識し、認識した言語に対応するｈｔｍｌファイルを前記第１の記憶手段から読み出し、前記送受信手段により前記外部機器に送信するように制御することを特徴とするＣ２に記載の放送受信装置。
【００９０】
［Ｃ４]
言語設定情報を記憶する第２の記憶手段をさらに具備し、
前記制御手段は、前記外部機器から要求されている表示言語と前記第２の記憶手段により記憶される言語設定情報が示す言語とが一致するか否かを判断し、一致しない場合、言語設定情報が示す言語に対応するｈｔｍｌファイルを前記第１の記憶手段から読み出し、前記送受信手段により前記外部機器に送信するように制御することを特徴とするＣ３に記載の放送受信装置。
【００９１】
［Ｃ５]
言語設定情報を記憶する第２の記憶手段と、
優先設定情報を記憶する第３の記憶手段と、
をさらに具備し、
前記制御手段は、前記外部機器から要求されている表示言語と前記第２の記憶手段により記憶される言語設定情報が示す言語とが一致するか否かを判断し、一致しない場合、前記第３の記憶手段により記憶されている前記優先設定情報に基づいて、前記外部機器から要求されている表示言語と前記第２の記憶手段により記憶される言語設定情報が示す言語とのどちらを優先するかを判断し、優先すると判断した言語に対応するｈｔｍｌファイルを前記第１の記憶手段から読み出し、前記送受信手段により前記外部機器に送信するように制御することを特徴とするＣ３に記載の放送受信装置。
【００９２】
［Ｃ６]
前記制御手段は、前記外部機器から要求されている表示言語に対応するｈｔｍｌファイルが前記第１の記憶手段により記憶されていない場合、予め設定されるデフォルトの言語に対応するｈｔｍｌファイルを前記第１の記憶手段から読み出し、前記送受信手段により前記外部機器に送信するように制御することを特徴とするＣ３に記載の放送受信装置。
【００９３】
［Ｃ７]
前記記憶手段は、当該放送受信装置のネットワーク内におけるデバイスネームを設定する為のｈｔｍｌファイルを各言語毎に記憶し、
前記制御手段は、前記外部機器からデバイスネームを設定する為のｈｔｍｌファイルの取得要求を受信する場合、取得要求において要求される言語を認識し、認識した言語のｈｔｍｌファイルを前記第１の記憶手段から読み出し、前記送受信手段により前記外部機器に送信するように制御することを特徴とするＣ３に記載の放送受信装置。
【００９４】
［Ｃ８]
放送信号を受信する受信手段と、
前記受信手段により受信した放送信号に所定の信号処理を施す信号処理手段と、
前記信号処理手段により信号処理を施した放送信号に基づいて映像を表示する表示手段と、
をさらに具備することを特徴とするＣ３に記載の放送受信装置。
【００９５】
［Ｃ９]
外部機器とネットワーク経由でデータの送信及び受信を行う送受信手段を具備する放送受信装置に用いられる制御方法であって、
複数のｈｔｍｌファイルを予め記憶し、
前記送受信手段により前記ネットワーク経由で前記外部機器から受信する要求に応じた言語のｈｔｍｌファイルを予め記憶した複数のｈｔｍｌファイルの中から読み出し、この読み出したｈｔｍｌファイルを前記送受信手段により前記ネットワーク経由で前記外部機器に送信する、
ことを特徴とする放送受信装置の制御方法。
【符号の説明】
【００９６】
１…ネットワーク、１００…放送受信装置、１０１…入力端子、１１１…チューナ、１１２…復調部、１１３…信号処理部、１２１…音声処理部、１２２…音声出力端子、１２３…映像処理部、１２４…表示処理部、１２５…映像出力端子、１５０…ＭＰＵ、１５１…ＲＯＭ、１５２…ＲＡＭ、１５３…ＥＥＰＲＯＭ、１５５…言語設定ファイル、１６１…操作入力部、１６２…受光部、１６３…リモートコントローラ、１６４…カードコネクタ、１６５…メディアカード、１６６…ＵＳＢコネクタ、１６７…ＵＳＢ機器、１６８…通信インターフェース、１６９…通信端子、２００…スピーカ、３００…表示部、４００…情報記録再生装置、５００…パーソナルコンピュータ。
【図１】
2012023755.tif 000003
【図２】
2012023755.tif 000004
【図３】
2012023755.tif 000005
【図４】
2012023755.tif 000006
【図５】
2012023755.tif 000007
【図６】
2012023755.tif 000008
【図７】
2012023755.tif 000009
【図８】
2012023755.tif 000010
【図９】
2012023755.tif 000011
【図１０】
2012023755.tif 000012
【図１１】
2012023755.tif 000013
【図１２】
2012023755.tif 000014
【図１３】
2012023755.tif 000015
【図１４】
2012023755.tif 000016
【手続補正書】
【提出日】平成23年11月28日(2011.11.28)
【手続補正１】
【補正対象書類名】明細書
【補正対象項目名】００１９
【補正方法】変更
【補正の内容】
【００１９】
一実施形態としての放送受信装置は、外部機器とネットワーク経由でデータの送信及び受信を行う送受信手段と、デバイスネームを記憶するデバイスネーム記憶手段と、操作入力に応じて入力された文字情報に基づいてデバイスネームを前記デバイスネーム記憶手段に設定する第１のデバイスネーム設定手段と、前記外部機器から前記送受信手段によりデバイスネームを受信し、受信したデバイスネームを前記デバイスネーム記憶手段に設定する第２のデバイスネーム設定手段と、前記送受信手段により前記ネットワーク経由で前記外部機器からデバイスネームを設定する為の取得要求を受信した場合、前記取得要求に対応した言語のデバイスネームを設定するためのファイルを前記送受信手段により前記ネットワーク経由で前記外部機器に送信するように制御する制御手段と、を具備する。
【手続補正２】
【補正対象書類名】特許請求の範囲
【補正対象項目名】全文
【補正方法】変更
【補正の内容】
【特許請求の範囲】
【請求項１】
外部機器とネットワーク経由でデータの送信及び受信を行う送受信手段と、
デバイスネームを記憶するデバイスネーム記憶手段と、
操作入力に応じて入力された文字情報に基づいてデバイスネームを前記デバイスネーム記憶手段に設定する第１のデバイスネーム設定手段と、
前記外部機器から前記送受信手段によりデバイスネームを受信し、受信したデバイスネームを前記デバイスネーム記憶手段に設定する第２のデバイスネーム設定手段と、
前記送受信手段により前記ネットワーク経由で前記外部機器からデバイスネームを設定する為の取得要求を受信した場合、前記取得要求に対応した言語のデバイスネームを設定するためのファイルを前記送受信手段により前記ネットワーク経由で前記外部機器に送信するように制御する制御手段と、
を具備する電子機器。
【請求項２】
前記電子機器のネットワーク内におけるデバイスネームを設定する為のファイルを異なる言語毎に記憶する第１の記憶手段と、
前記制御手段は、前記取得要求を受信した場合、前記取得要求に基づいて、前記外部機器から要求された言語を認識し、認識した言語に対応するファイルを前記第１の記憶手段から読み出し、前記送受信手段により前記ネットワーク経由で前記外部機器に送信するように制御する、
請求項１に記載の電子機器。
【請求項３】
前記制御手段は、前記外部機器から前記取得要求を受信した場合、前記デバイスネーム記憶手段により記憶されているデバイスネームを読み出し、前記送受信手段により前記外部機器に送信するように制御する、
請求項１に記載の電子機器。
【請求項４】
言語設定情報を記憶する第２の記憶手段をさらに具備し、
前記制御手段は、前記外部機器から要求された言語と前記言語設定情報が示す言語とが一致するか否かを判断し、一致しない場合、前記言語設定情報が示す言語に対応するファイルを前記第１の記憶手段から読み出し、前記送受信手段により前記外部機器に送信するように制御する、
請求項２に記載の電子機器。
【請求項５】
言語設定情報を記憶する第２の記憶手段と、
優先設定情報を記憶する第３の記憶手段と、
をさらに具備し、
前記制御手段は、前記外部機器から要求された言語と前記言語設定情報が示す言語とが一致するか否かを判断し、一致しない場合、前記優先設定情報に基づいて、前記外部機器から要求された言語と前記言語設定情報が示す言語とのどちらを優先するかを判断し、優先すると判断した言語に対応するファイルを前記第１の記憶手段から読み出し、前記送受信手段により前記外部機器に送信するように制御する、
請求項２に記載の電子機器。
【請求項６】
前記制御手段は、前記外部機器から要求された言語に対応するファイルが前記第１の記憶手段により記憶されていない場合、予め設定されたデフォルトの言語に対応するファイルを前記第１の記憶手段から読み出し、前記送受信手段により前記外部機器に送信するように制御する、
請求項２に記載の電子機器。
【請求項７】
放送信号を受信する受信手段と、
前記受信手段により受信した放送信号に所定の信号処理を施す信号処理手段と、
前記信号処理手段により信号処理を施した放送信号に基づいて映像を表示する表示手段と、
をさらに具備する請求項１に記載の電子機器。
【請求項８】
外部機器とネットワーク経由でデータの送信及び受信を行う送受信手段と、デバイスネームを記憶するデバイスネーム記憶手段と、を具備する電子機器に用いられる制御方法であって、
操作入力に応じて入力された文字情報に基づいてデバイスネームを前記デバイスネーム記憶手段に設定する第１のデバイスネーム設定ステップと、
前記外部機器から前記送受信手段によりデバイスネームを受信し、受信したデバイスネームを前記デバイスネーム記憶手段に設定する第２のデバイスネーム設定ステップと、
前記送受信手段により前記ネットワーク経由で前記外部機器からデバイスネームを設定する為の取得要求を受信した場合、前記取得要求に対応した言語のデバイスネームを設定するためのファイルを前記送受信手段により前記ネットワーク経由で前記外部機器に送信するように制御する制御ステップと、
を具備し、
前記第１のデバイスネーム設定ステップと、前記第２のデバイスネーム設定ステップとのいずれかによりデバイスネームを前記デバイスネーム記憶手段に設定する、
電子機器の制御方法。